(57)【要約】      （修正有）【課題】袖ぐりの縫合等を不要として袖部の着用感が大幅に向上した上衣を提供する。【解決手段】上衣１００は、袖部１０２ａ、１０２ｂを構成する一対の袖部パーツと、前身頃１０４及び後身頃とが一枚の生地で一体に形成されてなり、生地に開口が設けられ、その周縁が襟ぐり１０８となり、生地における袖部パーツの両端が接合されて筒状の袖部となり、前身頃と後身頃とが脇線Ｌ２ａ、Ｌ２ｂで接合される。【選択図】図２
0003231812.tif 000002
【実用新案登録請求の範囲】
【請求項１】
袖部を構成する一対の袖部パーツと、前身頃及び後身頃とが一枚の生地で一体に形成されてなり、
前記生地に開口が設けられ、その周縁が襟ぐりとなり、
前記生地における前記袖部パーツの両端が接合されて筒状の前記袖部となり、
前記前身頃と前記後身頃とが脇線で接合されてなることを特徴とする上衣。
【請求項２】
左袖部を構成する左袖部パーツと、左前身頃及び左後身頃とが一枚の第１生地で一体に形成され、
右袖部を構成する右袖部パーツと、右前身頃及び右後身頃とが一枚の第２生地で一体に形成され、
前記第１生地と前記第２生地とを接合してなり、
前記第１生地と前記第２生地とにそれぞれ切り欠きが設けられ、その周縁が襟ぐりとなり、
前記第１生地における前記左袖部パーツの両端が接合され、前記第２生地における前記右袖部パーツの両端が接合されて、それぞれ筒状の前記左袖部および前記右袖部となり、
前記左前身頃と前記右前身頃とが接合され、前記左後身頃と前記右後身頃とが接合され、
前記左前身頃と前記左後身頃とが左脇線で接合され、前記右前身頃と前記右後身頃とが右脇線で接合されてなることを特徴とする上衣。
【請求項３】
袖ぐりが、前記生地、又は前記第１生地と前記第２生地の所定部位を、前記襟ぐりまでダーツ折りしてなることを特徴とする請求項１又は２に記載の上衣。
【請求項４】
前記ダーツ折りの折り込み襞が内部に位置することを特徴とする請求項３に記載の上衣。
【考案の詳細な説明】
【技術分野】
【０００１】
本考案は、上衣に関する。
【背景技術】
【０００２】
上衣などの衣服は、型紙に沿って生地を裁断して、両袖部、前身頃及び後身頃の４つのパーツを縫合して形成している。しかしながら、縫合部は複数素材の重なりであり、突っ張ったり、ゴロゴロして着心地を損ねたり、袖に腕を通す際に袖の縫合部の段差に手が引っかかることがある。
そこで、後身頃と両袖部とを一体の生地から形成し、後身頃と別パーツの前身頃とを脇線で接合した技術が開発されている（特許文献１、２）。
【先行技術文献】
【特許文献】
【０００３】
【特許文献１】実開昭５５−９９２０８号公報
【特許文献２】特開２０１３−１４８６４号公報
【考案の概要】
【考案が解決しようとする課題】
【０００４】
しかし、上記した従来技術の場合、依然として前身頃と両袖部とを接合する必要があり、袖部の着用感が不十分であった。
そこで、本考案は上記の課題を解決するためになされたものであり、袖ぐりの縫合等を不要として袖部の着用感が大幅に向上した上衣の提供を目的とする。
【課題を解決するための手段】
【０００５】
すなわち、本考案の第１の態様の上衣は、袖部を構成する一対の袖部パーツと、前身頃及び後身頃とが一枚の生地で一体に形成されてなり、前記生地に開口が設けられ、その周縁が襟ぐりとなり、前記生地における前記袖部パーツの両端が接合されて筒状の前記袖部となり、前記前身頃と前記後身頃とが脇線で接合されてなることを特徴とする。
【０００６】
第１の態様の上衣によれば、袖部パーツと、前身頃１及び後身頃とが、一枚の生地で一体に形成されているので、これらを縫合等により接合して上衣を形成した際、袖ぐり部分が縫合等されずに生地で繋がっている。
このため、袖ぐり部分を縫合等した際に生じる硬い重なり部や縫合線が存在せず、袖部の着用感が大幅に向上する。又、袖ぐり部分の接合が不要になるので生地の裁断と縫製等の時間の短縮で生産性が向上する。
【０００７】
本考案の第２の態様の上衣は、左袖部を構成する左袖部パーツと、左前身頃及び左後身頃とが一枚の第１生地で一体に形成され、右袖部を構成する右袖部パーツと、右前身頃及び右後身頃とが一枚の第２生地で一体に形成され、前記第１生地と前記第２生地とを接合してなり、前記第１生地と前記第２生地とにそれぞれ切り欠きが設けられ、その周縁が襟ぐりとなり、前記第１生地における前記左袖部パーツの両端が接合され、前記第２生地における前記右袖部パーツの両端が接合されて、それぞれ筒状の前記左袖部および前記右袖部となり、前記左前身頃と前記右前身頃とが接合され、前記左後身頃と前記右後身頃とが接合され、前記左前身頃と前記左後身頃とが左脇線で接合され、前記右前身頃と前記右後身頃とが右脇線で接合されてなることを特徴とする。
【０００８】
第２の態様の上衣によれば、袖部パーツと、前身頃１及び後身頃とが、第１生地と第２生地の２枚の生地で一体に形成されているので、これらを縫合等により接合して上衣を形成した際、袖ぐり部分が縫合等されずに生地で繋がっている。
このため、袖ぐり部分を縫合等した際に生じる硬い重なり部や縫合線が存在せず、袖部の着用感が大幅に向上する。又、袖ぐり部分の接合が不要になるので生地の裁断と縫製等の時間の短縮で生産性が向上する。
【０００９】
本考案の上衣において、袖ぐりが、前記生地、又は前記第１生地と前記第２生地の所定部位を、前記襟ぐりまでダーツ折りしてなっていてもよい。
この上衣によれば、袖ぐりがダーツ折りで立体的になり、ダーツ折りによる折り込み襞は、袖部への腕の出し入れに応じて自由に動くので、縫合線に比べて着脱時の腕の出し入れや、下着に対する引っ掛かりが無く、滑りが良く、着用し易いと共に着用して腕を動かしやすくなり、着用感がより一層向上する。
【００１０】
本考案の上衣において、前記ダーツ折りの折り込み襞が内部に位置してもよい。
この上衣によれば、引き上げた袖部を降ろした際の、肩の前後の生地の余りを、各袖ぐりのダーツ内側の折り込み襞が凹んで吸収するので、美しいシルエットを維持することができる。
【考案の効果】
【００１１】
本考案によれば、袖ぐりの縫合等を不要として袖部の着用感が大幅に向上した上衣が得られる。
【図面の簡単な説明】
【００１２】
【図１】本考案の第１の態様の実施形態に係る上衣の生地を示す展開図である。
【図２】第１の態様の実施形態に係る上衣を示す正面図である。
【図３】第１の態様の別の実施形態に係る上衣の生地を示す展開図である。
【図４】第１の態様の実施形態に係る上衣の使用状態を示す図である。
【図５】本考案の第２の態様の実施形態に係る上衣の生地を示す展開図である。
【図６】第２の態様の実施形態に係る上衣を示す正面図及び背面図である。
【図７】図６のＡ−Ａ線に沿うダーツの断面図である。
【図８】第２の態様の実施形態に係る上衣の使用状態を示す図である。
【図９】第２の態様の実施形態に係る上衣の使用状態を示す別の図である。
【考案を実施するための形態】
【００１３】
まず、図１〜図４を参照し、本考案の第１の態様の実施形態に係る上衣について説明する。
図１は本考案の第１の態様の実施形態に係る上衣の生地１００ｘを示す展開図、図２は第１の態様の実施形態に係る上衣１００を示す正面図、図３は第１の態様の別の実施形態に係る上衣の生地１００ｙを示す展開図、図４は上衣１００の使用状態を示す図である。
【００１４】
図１に示すように、一枚の生地１００ｘで、袖部を構成する一対の袖部パーツ１０２ｘａ、１０２ｘｂと、前身頃１０４及び後身頃１０６とが一体に形成されている。又、生地１００ｘに開口１００ｈが設けられ、その周縁が襟ぐり１０８となっている。
生地１００ｘとしては、例えば綿、合成繊維が挙げられる。
【００１５】
そして、図２に示すように、生地１００ｘにおける袖部パーツ１０２ｘａ、１０２ｘｂの両端が縫合線Ｌ１ａ、Ｌ１ｂにて縫合等により接合されて筒状の袖部１０２ａ、１０２ｂとなり、前身頃１０４と後身頃１０６とが脇線Ｌ２ａ、Ｌ２ｂで縫合等により接合されて、上衣１００が形成される。
なお、本例では、上衣１００は長袖Ｔシャツである。
【００１６】
このように、第１の態様の実施形態では、袖部パーツ１０２ｘａ、１０２ｘｂと、前身頃１０４及び後身頃１０６とが、一枚の生地１００ｘで一体に形成されているので、これらを縫合等により接合して上衣１００を形成した際、袖ぐり部分が縫合等されずに生地１００ｘで繋がっている。
このため、袖ぐり部分を縫合等した際に生じる硬い重なり部や縫合線が存在せず、袖部の着用感が大幅に向上する。又、袖ぐり部分の接合が不要になるので生地の裁断と縫製等の時間の短縮で生産性が向上する。
【００１７】
なお、図３に示すように、生地１００ｙの前身頃１０９を上下方向の中心線で左前身頃１０９ａと右前身頃１０９ｂに２分割してもよい。この中心線にファスナー等を取り付けたり、ボタンを取付けることができる。
【００１８】
図４は、上衣１００の使用状態を示す。袖ぐり部分の接合が無いので、袖部１０２ａ、１０２ｂを引き上げがスムーズになり、着用感が向上する。また、図２に示すように、腕が水平でのシルエットは美しい。
但し、引き上げた袖部１０２ａ、１０２ｂを降ろすと、肩の前後に生地の不用な余りｒによる凹凸ができて、シルエットを損ねる場合もある。
そこで、この場合は以下の第２の態様の実施形態で改善することができる。
【００１９】
次に、図５〜図９を参照し、本考案の第２の態様の実施形態に係る上衣について説明する。
図５は第２の態様の実施形態に係る上衣の生地２００ｘを示す展開図、図６は第２の態様の実施形態に係る上衣２００を示す正面図（表）及び背面図（裏）、図７は図６のＡ−Ａ線に沿うダーツの断面図、図８、図９は上衣２００の使用状態を示す図である。
【００２０】
図５に示すように、一枚の第１生地２００ｘａで、左袖部を構成する左袖部パーツ２０２ｘａと、左前身頃２０４ｘａ及び左後身頃２０６ｘａとが一体に形成されている。同様に、一枚の第２生地２００ｘｂで、右袖部を構成する右袖部パーツ２０２ｘｂと、右前身頃２０４ｘｂ及び右後身頃２０６ｘｂとが一体に形成されている。
又、第１生地２００ｘａと第２生地２００ｘｂとにそれぞれ切り欠き２００ｎａ、２００ｎｂが設けられ、その周縁がそれぞれ襟ぐり２０８ｘａ、２０８ｘｂとなっている。
【００２１】
そして、図６に示すように、第１生地２００ｘａにおける左袖部パーツ２０２ｘａの両端が縫合線Ｌ１ａにて縫合等により接合されて筒状の左袖部２０２ａとなり、第２生地２００ｘｂにおける右袖部パーツ２０２ｘｂの両端が縫合線Ｌ１ｂにて縫合等により接合されて筒状の右袖部２０２ｂとなる。
また、左前身頃２０４ｘａと右前身頃２０４ｘｂとが縫合線Ｌ３ａにて縫合等により接合され、前身頃２０４となる。同様に、左後身頃２０６ｘａと右後身頃２０６ｘｂとが縫合線Ｌ３ｂにて縫合等により接合され、後身頃２０６となる。又、襟ぐり２０８ｘａ、２０８ｘｂも接合されて１つの襟ぐり２０８となる。
さらに、左前身頃２０４ｘａと左後身頃左前身頃２０６ｘａとが左脇線Ｌ２ａで縫合等により接合され、右前身頃２０４ｘｂと右後身頃２０６ｘｂとが右脇線Ｌ２ｂで接合され、上衣２００が形成される。
【００２２】
さらに、第２の態様の実施形態においては、各袖ぐりＤ１〜Ｄ４（図６参照）が、第１生地２００ｘａと第２生地２００ｘｂの所定部位を、襟ぐりまでダーツ折りしてなる。
ここで、図７に示すように、ダーツとは、服を体にフィットさせるために、生地を折り畳んで縫い（摘まみ縫いし）、立体的にする方法又は構造である。
具体的には、本例では、第１生地２００ｘａの袖ぐりＤ１に相当する縫い線２００Ｄ１，袖ぐりＤ３に相当する縫い線２００Ｄ３が紡錘形（アーモンド形）になっている。同様に，第２生地２００ｘｂの袖ぐりＤ２１に相当する縫い線２００Ｄ２，袖ぐりＤ４に相当する縫い線２００Ｄ４も紡錘形（アーモンド形）になっている。
【００２３】
従って、各縫い線２００Ｄ１〜Ｄ４を、襟ぐり２０８から外側へ向かう各中心線Ｃ１〜Ｃ４を折り線として折り畳み、縫い目Ｓ（図７）として縫合すると、各縫い線２００Ｄ１〜Ｄ４のアーモンド状の曲線にて各袖ぐりＤ１〜Ｄ４が形成されて立体的になる。
このとき、折り込み襞２００Ｆ（図７）が形成されるが、本例では、折り込み襞２００Ｆが上衣２００の内側に位置するようにしている。
ここで、「ダーツ」は折り込み襞を衣服の内部に入れ、折り込み線に沿って縫い留める。一方、「タック」は生地をつまんだ根元を縫い留めるだけであるため、外見では折り込みの襞が露出する。
なお、本例では、各袖ぐりＤ１〜Ｄ４は生地２００ｘで繋がっており、袖ぐりを２枚の生地から縫合する通常のラグラン袖と厳密に同一ではないが、ラグラン袖に類似して、袖ぐりのダーツが襟ぐり２０８から袖下にかけて斜めに延びている。
【００２４】
図８、図９は上衣２００の使用状態を示す。
図８に示すように、折り込み襞２００Ｆは、袖部２０２ａ、２０２ｂへの腕の出し入れに応じて自由に動くので、縫合線に比べて着脱時の腕の出し入れや、下着に対する引っ掛かりが無く、滑りが良く、着用し易いと共に着用して腕を動かしやすくなり、着用感がより一層向上する。
又、図９に示すように、折り込み襞２００Ｆが上衣２００の内側に位置するようにすれば、引き上げた袖部２０２ａ、２０２ｂを降ろした際の、肩の前後の生地の余りを、各袖ぐりＤ１〜Ｄ４のダーツ内側の折り込み襞２００Ｆが凹んで吸収するので、美しいシルエットを維持することができる。又、折り込み襞２００Ｆが外側に位置しないので、この点でも美観が良い。
【００２５】
本発明は上記実施形態に限定されない。
上衣は袖付きＴシャツに限定されず、衛生環境で使用される上着等に使用してもよい。
生地が一枚の第１の態様の実施形態に対し、上記ダーツを適用してもよい。
【符号の説明】
【００２６】
１００，２００      上衣
１００ｘ、１００ｙ      生地
１００ｈ      開口
１０２ａ、１０２ｂ、２０２ａ、２０２ｂ      袖部
１０２ｘａ、１０２ｘｂ、２０２ｘａ、２０２ｘｂ      袖部パーツ
１０４，２０４      前身頃
１０６，２０６      後身頃
１０８，２０８      襟ぐり
２００ｘａ      第１生地
２００ｘｂ      第２生地
２００ｎａ、２００ｎｂ      切り欠き
２００Ｆ      折り込み襞
２０２ｘａ      左袖部パーツ
２０２ｘｂ      右袖部パーツ
２０４ｘａ      左前身頃
２０４ｘｂ      右前身頃
２０６ｘａ      左後身頃
２０６ｘｂ      右後身頃
Ｄ１〜Ｄ４      袖ぐり
Ｌ２ａ、Ｌ２ｂ      脇線
【図１】
0003231812.tif 000003
【図２】
0003231812.tif 000004
【図３】
0003231812.tif 000005
【図４】
0003231812.tif 000006
【図５】
0003231812.tif 000007
【図６】
0003231812.tif 000008
【図７】
0003231812.tif 000009
【図８】
0003231812.tif 000010
【図９】
0003231812.tif 000011